(57)【要約】【課題】ユーザにクーポンを提供するクーポンサイトにおいて、クーポンの発行者である店からは料金を収集することなくクーポンサイトを運営するためのクーポン提供装置を提供すること。【解決手段】クーポンにバナー広告が埋め込まれた表示データを生成する表示データ生成部１２と、バナーデータ記憶部６の中から、クーポンの属性情報とバナー広告の属性情報との類似性に基づき、クーポンと組み合わせるバナー広告を決定する組合せ決定部１０とを備え、表示データ生成部１２は、クーポンに、組合せ決定部１０により決定されたバナー広告が埋め込まれた表示データを生成し、組合せ決定部１０は、クーポンの属性情報の第１項目の内容と、バナー広告の属性情報の第１項目の内容とが同一でなく、かつ、クーポンの属性情報の第２項目の内容と、バナー広告の属性情報の第２項目の内容とが同一であるバナー広告をクーポンと組み合わせると決定する。【選択図】図２
2006309502.tif 000002
【特許請求の範囲】
【請求項１】
ユーザの端末装置にクーポンを提供するクーポン提供装置であって、
特定の店舗で前記ユーザが受けることのできる特典を表示するクーポンにバナー広告が埋め込まれた表示データを生成する表示データ生成手段を備える
クーポン提供装置。
【請求項２】
更に、複数のバナー広告と前記バナー広告の属性情報とを対応付けて記憶するバナー情報記憶手段の中から、前記クーポンの属性情報と前記バナー情報記憶手段に記憶されているバナー広告の属性情報との類似性に基づき、前記クーポンと組み合わせるバナー広告を決定する決定手段を備え、
前記表示データ生成手段は、前記クーポンに、前記決定手段により前記クーポンと組み合わせると決定された前記バナー広告が埋め込まれた表示データを生成する
請求項1記載のクーポン提供装置。
【請求項３】
前記クーポンの属性情報および前記バナー広告の属性情報は、第１項目と第２項目とを含み、
前記決定手段は、前記クーポンの属性情報の前記第１項目の内容と、前記バナー広告の属性情報の前記第１項目の内容とが同一でなく、かつ、前記クーポンの属性情報の前記第２項目の内容と、前記バナー広告の属性情報の前記第２項目の内容とが同一であるバナー広告を前記クーポンと組み合わせると決定する
請求項２記載のクーポン提供装置。
【請求項４】
前記第１項目および前記第２項目の組は、（１）前記クーポンの発行者または前記バナー広告の広告主の業種、（２）前記発行者または前記広告主の営業地域、（３）前記クーポンまたは前記バナー広告の内容の特徴を示すキーワード、の３つのうちのいずれか２つの組である
請求項３記載のクーポン提供装置。
【請求項５】
更に、前記第１項目および前記第２項目との組からなる決定条件を複数記憶する決定条件記憶手段と、
前記決定条件記憶手段の中から１つの決定条件を選択する条件選択手段とを備え、
前記決定手段は、前記クーポンの属性情報および前記バナー広告の属性情報の、前記選択手段により決定された前記決定条件に示される前記第１項目および前記第２項目のそれぞれの内容により、前記クーポンと組み合わせるバナー広告を決定する
請求項４記載のクーポン提供装置。
【請求項６】
前記第２項目は前記キーワードであり、
前記キーワードは複数の単語を含み、
前記決定手段は、前記クーポンの属性情報の前記第２項目であるキーワードとバナー広告の属性情報の前記第２項目であるキーワードとが同一であるバナー広告がない場合、
前記クーポンの属性情報の前記第２項目であるキーワードと、バナー広告の属性情報の前記第２項目であるキーワードとがともに含む単語の数が最も多いバナー広告を、前記クーポンと組み合わせると決定する
請求項４記載のクーポン提供装置。
【請求項７】
更に、クーポンに埋め込まれたバナー広告ごとのユーザにクリックされた回数であるクリック数と、前記決定手段により前記バナー広告を前記クーポンと組み合わせると決定された際の決定条件を特定する情報とを対応付けて記憶する記憶するクリック履歴記憶手段と、
前記クリック履歴記憶手段の中からクリック数が最も多いバナー広告と対応付けられた決定条件を前記条件選択手段に選択させる条件変更手段と
を備える請求項５記載のクーポン提供装置。
【請求項８】
更に、前記クリック履歴記憶手段に記憶されている前記クリック数を所定の期間ごとに集計する集計手段と、
前記集計手段により集計されたある期間のクリック数が前記期間の前の期間のクリック数を所定の値だけ下回った場合、前記条件変更手段に、前記クリック履歴記憶手段の中からクリック数が最も多いバナー広告と対応付けられた決定条件を前記条件選択手段に選択させる再変更手段と
を備える請求項７記載のクーポン提供装置。
【請求項９】
更に、クーポンに埋め込まれたバナー広告がユーザにクリックされた回数であるクリック数と、前記バナー広告が前記クーポンと組み合わされると決定された際の決定条件を特定する情報とを対応付けて記憶する記憶するクリック履歴記憶手段と、
前記バナー広告がユーザの端末装置に表示された回数である表示回数を記憶する表示履歴記憶手段と、
前記クリック数と前記表示回数とに基づき、バナー広告が表示された回数のうち何回前記バナー広告がクリックされたかを示すクリック率を、クリック履歴記憶手段に記憶されている決定条件を特定する情報ごとに算出する算出手段と、
前記算出手段が算出したクリック率に基づき、クリック率の最も高いクリック率を示す決定条件を前記条件選択手段に選択させる条件変更手段と
を備える請求項５記載のクーポン提供装置。
【請求項１０】
更に、前記算出手段により算出された前記クリック率を所定の期間ごとに集計する集計手段と、
前記集計手段により集計されたある期間のクリック率が前記期間の前の期間のクリック率を所定の値だけ下回った場合、前記条件変更手段に、前記算出手段が算出したクリック率に基づき、クリック率の最も高いクリック率を示す決定条件を前記条件選択手段に選択させる再変更手段と
を備える請求項９記載のクーポン提供装置。
【請求項１１】
更に、前記クーポンの表示上の構成を決定する情報が記述されたテンプレートを記憶するテンプレート記憶手段と、
前記クーポンの内容と前記クーポンの属性情報とを対応付けて記憶するクーポン情報記憶手段と、
前記バナー情報記憶手段とを備え、
前記表示データ生成手段は、テンプレート記憶手段に記憶されている前記テンプレートに含まれる所定の文字列である第１文字列を、前記クーポン情報記憶手段に記憶されている前記クーポンの内容に置換し、前記第１文字列とは異なる第２文字列を、前記決定手段により前記クーポンと組み合わせると決定されたバナー広告に置換することで前記クーポンに前記バナー広告が埋め込まれた表示データを生成する
請求項２記載のクーポン提供装置。
【請求項１２】
更に、前記クリック履歴記憶手段に記憶された前記クリック数に基づき、前記バナー広告の広告主に対する請求額を算出する請求額算出手段と、
前記請求額算出手段により算出された請求額を前記広告主または前記広告主が指定する金融機関に送信する請求額送信手段と
を備える請求項７記載のクーポン提供装置。
【請求項１３】
更に、前記クリック履歴記憶手段に記憶された前記クリック数に基づき、前記バナー広告の広告主に対する請求額を算出する請求額算出手段と、
前記請求額算出手段により算出された請求額を前記広告主または前記広告主が指定する金融機関に送信する請求額送信手段と
を備える請求項９記載のクーポン提供装置。
【請求項１４】
ユーザの端末装置にクーポンを提供するための方法であって、
特定の店舗で前記ユーザが受けることのできる特典を表示するクーポンに、バナー広告が埋め込まれた表示データを生成する表示データ生成ステップと、
前記表示データ生成ステップにおいて生成された前記クーポンにバナー広告が埋め込まれた表示データを、前記端末装置に送信する送信ステップと
を含むクーポン提供方法。
【請求項１５】
ユーザの端末装置にクーポンを提供するためのプログラムであって、
特定の店舗で前記ユーザが受けることのできる特典を表示するクーポンに、バナー広告が埋め込まれた表示データを生成する表示データ生成ステップと、
前記表示データ生成ステップにおいて生成された前記クーポンにバナー広告が埋め込まれた表示データを、前記端末装置に送信する送信ステップと
をコンピュータに実行させるためのプログラム。
【発明の詳細な説明】
【技術分野】
【０００１】
本発明は、ネットワークを介しクーポンを提供するクーポン提供装置に関する。
【背景技術】
【０００２】
近年、商品の割引等の特典を得ることのできるクーポンは、紙媒体で提供されるだけでなく、インターネットを介し、インターネットのユーザに提供されるようになっている。
【０００３】
このような電子的なクーポンを複数用意し、様々な情報を提供するＷｅｂサイト（以下、「クーポンサイト」という。）も存在する。クーポンサイトにおいて、ユーザは、クーポンが存在するＷｅｂページをパーソナルコンピュータで受信し印刷することで、紙媒体のクーポンと同様に使用することができる。
【０００４】
また、多くのクーポンサイトは、クーポンを発行する店または企業などからのクーポン掲載料、または、クーポンサイトを利用するユーザからの利用料により運営されている。
【０００５】
なお、ユーザからの電子メールでの要求に応じて、電子メールでクーポンを送信するクーポン配布システムも公開されている(例えば、特許文献１参照) 。
【特許文献１】特開２００３−５０９５８号公報
【発明の開示】
【発明が解決しようとする課題】
【０００６】
ここで、クーポンサイトにおいて、ユーザにとって有益なクーポンの数を増やすことは重要である。多くの有益なクーポンを用意することで、ユーザの多種多様な要求に応えることができ、ユーザからのアクセス数の増加も見込め、さらにはアクセス数が増加することで、広告料収入の増加も見込めるからである。
【０００７】
しかしながら、上記従来のクーポンサイトでは、ユーザにとって有益なクーポンの数を増加させるためには、クーポンの発行者となる店や企業に、クーポンをクーポンサイトにおいて公開するための料金に見合うだけのメリットがあることを証明する必要があり、容易ではない。
【０００８】
本発明は、上記課題を考慮し、ユーザにクーポンを提供するクーポンサイトにおいて、クーポンの発行者である店からは料金を収集することなくクーポンサイトを運営するためのクーポン提供装置を提供することを目的とする。
【課題を解決するための手段】
【０００９】
上記目的を達成するために、本発明のクーポン提供装置は、ユーザの端末装置にクーポンを提供するクーポン提供装置であって、特定の店舗で前記ユーザが受けることのできる特典を表示するクーポンに、バナー広告が埋め込まれた表示データを生成する表示データ生成手段を備える。
【００１０】
これにより、例えば、クーポンに、クーポンの発行者とは異なる者が広告主であるバナー広告を埋め込んでユーザに提供することができる。また、バナー広告はクーポンに埋め込まれた状態で表示されるため、ユーザに印刷された状態であっても、そのバナー広告はユーザの手元に残ることとなる。また、例えば、携帯電話にクーポンが表示された画面が保存された場合も、ユーザの手元にバナー広告が残ることになる。バナー広告をユーザの手元に残すことによりバナー広告の有する広告効果を高めることができる。
【発明の効果】
【００１１】
本発明のクーポン提供装置は、クーポンにバナー広告を埋め込むことにより、バナー広告が有する宣伝広告効果を高めることができる。これにより、クーポンの発行者からクーポン掲載料等の料金を収集することなくクーポンを公開することができる。つまり、クーポンの発行者は無料でクーポンを公開できることとなるため、ユーザにとって有益なクーポンの数を増加させることができる。
【００１２】
このように、本発明により、ユーザにクーポンを提供するクーポンサイトにおいて、クーポンの発行者である店からは料金を収集することなくクーポンサイトを運営するためのクーポン提供装置を提供することができる。
【発明を実施するための最良の形態】
【００１３】
以下、本発明の実施の形態について図面を用いて説明する。
図１は、本発明の実施の形態に係るクーポン提供システムの構成の概要を示す図である。
【００１４】
クーポン提供システムは、ユーザにクーポンを提供するためのＷｅｂサイト（以下、「クーポンサイト」という。）を公開するためのシステムである。クーポン提供システムは、Ｗｅｂサーバ１と、管理端末５０と、登録店端末６０と、ユーザ端末７０と、携帯端末７１とを備える。Ｗｅｂサーバ１と上記各端末装置とは、インターネットを介し接続されている。
【００１５】
Ｗｅｂサーバ１は、本発明のクーポン提供装置の一例であり、ユーザにクーポンを提供するためのＷｅｂページを送信する装置である。管理端末５０は、Ｗｅｂサーバ１の管理者が使用する端末装置である。登録店端末６０は、クーポンの発行者である店、会社など（以下、「登録店」という。）の担当者（以下、単に「担当者」ともいう。）が使用する端末装置である。ユーザ端末７０および携帯端末７１は、ユーザがクーポンを取得するための端末装置である。
【００１６】
Ｗｅｂサーバ１には、クーポンの発行者である店に関する情報である登録店データ、クーポンの内容を示す情報であるクーポンデータ、およびバナー広告（以下、単に「バナー」ともいう。）に関する情報であるバナーデータを有している。Ｗｅｂサーバ１は、それら各データとデザインテンプレートとを使用し、登録店情報ページ２１、クーポン２５等のコンテンツを生成し、ユーザ端末７０へ送信する。なお、登録店データについては図３を用いて後述する。クーポンデータについては図５を用いて後述する。バナーデータについては図８を用いて後述する。
【００１７】
管理者は、管理端末５０からＷｅｂサーバ１にアクセスすることにより、Ｗｅｂサーバ１の管理を行うことができる。例えば、クーポンサイト内のＷｅｂページ等に表示されるバナーの登録を行うことができる。
【００１８】
担当者は、登録店端末６０からＷｅｂサーバ１にアクセスすることにより、自身の店の情報およびクーポンの内容の入力、更新等を行うことができる。
【００１９】
ユーザは、ユーザ端末７０または携帯端末７１からＷｅｂサーバ１へアクセスすることにより、登録店情報ページ２１、クーポン２５等のコンテンツをそれら端末装置に備えられたディスプレイに表示させることができる。
【００２０】
また、Ｗｅｂサーバ１は、バナー３０が埋め込まれたクーポン２５をユーザの端末装置へ表示させる表示データを生成し送信する。Ｗｅｂサーバ１は、クーポン２５にバナー３０を配置する際に、一定のルールに従って配置する。
【００２１】
このように、バナー３０をクーポン内に表示させることにより、Ｗｅｂサーバ１の管理者は、バナーの広告主に広告料を請求する。これにより、クーポンを提供する登録店に、クーポン等の情報を公開するための費用を負担させることはない。クーポン２５にバナー３０を配置する際のルールについては、図９および図１０を用いて後述する。Ｗｅｂサーバ１が、クーポン２５にバナー３０を配置する際の動作については図１１を用いて後述する。
【００２２】
なお、管理端末５０、登録店端末６０、ユーザ端末７０および携帯端末７１は、Ｗｅｂサーバ１から送信される情報を表示するためのブラウザソフト（以下、単に「ブラウザ」という。）を有している。
【００２３】
図２は、Ｗｅｂサーバ１の機能的な構成を示す機能ブロック図である。Ｗｅｂサーバ１は上述のように、本発明のクーポン提供装置の一例である。
【００２４】
図２に示すように、Ｗｅｂサーバ１は、通信部２と、認証部３と、登録店データ記憶部４と、クーポンデータ記憶部５と、バナーデータ記憶部６と、データ管理部７と、テンプレート記憶部８と、ルールデータ記憶部９と、組合せ決定部１０と、履歴データ記憶部１１と、表示データ生成部１２とを備える。
【００２５】
また、管理端末５０、登録店端末６０、およびユーザ端末７０と、Ｗｅｂサーバ１とはインターネット２００を介し接続されている。
【００２６】
なお、Ｗｅｂサーバ１は、クーポンサイトを構成するＨＴＭＬ（HyperText Markup Language）ファイルおよび画像ファイルを記憶し送信する機能など、Ｗｅｂサーバが本来備える機能も有している。しかしながら、これら機能の図示および説明は省略し、本発明の実施の形態のＷｅｂサーバ１に特徴的な構成部についてのみ図示および説明を行う。
【００２７】
通信部２は、管理端末５０等の端末装置との間で情報のやり取りを行うための処理部である。認証部３は、Ｗｅｂサーバ１へ情報の登録等が行われる際の認証を行う処理部である。管理者および登録店の担当者は、それぞれに付与されたＩＤおよびパスワードを用いることで、認証部３の認証を受けることができる。
【００２８】
登録店データ記憶部４は、登録店データを記憶するための記憶装置である。クーポンデータ記憶部５は、本発明のクーポン提供装置におけるクーポンデータ記憶手段の一例であり、クーポンデータを記憶するための記憶装置である。バナーデータ記憶部６は、本発明のクーポン提供装置におけるバナー情報記憶手段の一例であり、バナーデータおよびバナー画像を記憶するための記憶装置である。
【００２９】
データ管理部７は、登録店データ記憶部４、クーポンデータ記憶部５、バナーデータ記憶部６、および後述の履歴データ記憶部１１に記憶されている情報の管理を行う処理部である。
【００３０】
なお、データ管理部７は、本発明のクーポン提供装置における条件変更手段、集計手段、再変更手段、および算出手段が有する、組合せ決定部１０へ指示する機能、および、各種情報に基づく集計および計算を行う機能を有する。
【００３１】
テンプレート記憶部８は、本発明のクーポン提供装置におけるテンプレート記憶手段の一例であり、登録店情報ページやクーポンのテンプレートを記憶するための記憶装置である。ルールデータ記憶部９は、本発明のクーポン提供装置における決定条件記憶手段の一例であり、クーポンとバナー広告との組合せを決定する際のルールを記憶するための記憶装置である。
【００３２】
組合せ決定部１０は、ルールデータ記憶部９に記憶されているルールデータに基づき、クーポンとバナー広告との組合せを決定する処理部である。なお、組合せ決定部１０は、本発明のクーポン提供装置における決定手段および条件選択手段が有するクーポンとバナー広告との組合せを決定する機能と決定条件を選択する機能とを実現する。
【００３３】
履歴データ記憶部１１は、Ｗｅｂサーバ１へのアクセスの履歴を記憶するための記憶装置である。クーポン内に表示されたバナーがクリックされた回数等も履歴データとして記憶される。また、履歴データを集計したデータである集計データも記憶される。履歴データおよび集計データについては、図１４を用いて後述する。なお、履歴データ記憶部１１は、本発明のクーポン提供装置におけるクリック履歴記憶手段と表示履歴記憶手段とが有する情報を記憶する機能を実現する。
【００３４】
表示データ生成部１２は、ユーザ端末７０等の端末装置からの要求に従い、それら端末装置に表示させる表示データを生成する処理部である。具体的には、表示データ生成部１２は、端末装置からの要求に従い端末装置に表示させる画面を構成するＨＴＭＬ（HyperText Markup Language）ファイルを生成する。
【００３５】
なお、ユーザは、ユーザ端末７０以外に、図１に示すように、携帯端末７１を用いてＷｅｂサーバ１との通信が可能である。
【００３６】
図３は、登録店データ記憶部４に記憶されている登録店データ４ａのデータ構成の一例を示す図である。
【００３７】
登録店データ４ａは、上述のように、クーポンの発行者である登録店に関する情報であり、データ項目として、店ＩＤ、店名、住所、ＴＥＬ、ＦＡＸ、カテゴリ、店情報、公開開始日、および公開終了日を有する。
【００３８】
登録店データ４ａに登録されている情報は、テンプレート記憶部８に記憶されている登録店情報ページ用のテンプレートに配置され公開される。
【００３９】
登録店データ４ａに登録されている店は、クーポンサイト内で、店に関する情報およびクーポンを公開することのできる登録店であり、各登録店の情報には、データ管理部７により、ユニークなＩＤである店ＩＤが付与される。店ＩＤにより一意に識別される情報を以下、「個別登録店データ」という。
【００４０】
カテゴリは、各登録店の業種を示す情報であり、飲食店等は「食べ処」、遊戯施設等は「レジャー」、ホテル等は「宿泊」のカテゴリにそれぞれ分類される。また、図３には示されていないが、物産品等の販売業者は「お土産」のカテゴリに分類される。
【００４１】
店情報は、各登録店の特徴や営業時間などの情報である。公開開始日および公開終了日は、クーポンサイト内で、登録店情報ページを公開することのできる期間を決定する情報である。
【００４２】
なお、登録店データ４ａは、登録店の担当者により入力および修正されるデータである。入力および修正を行う際、担当者は登録店端末６０からＷｅｂサーバ１へアクセスし、所定のＩＤおよびパスワードを入力することにより、認証部３の認証を受ける。認証を受けた後、所定の画面において入力および修正を行う。また、担当者は、公開されるクーポンについての情報も入力および修正をすることができる。
【００４３】
図４は、公開されるクーポンについての情報を入力するためのクーポンデータ入力画面１００の一例を示す図である。
【００４４】
クーポンデータ入力画面１００は、担当者が、登録店端末６０から所定のＩＤおよびパスワードを入力し、認証部３により認証された後に表示される画面である。また、店ＩＤ“Ｓ０００２”である登録店“○○リゾート”が、クーポンデータを入力した場合の表示例を示している。
【００４５】
クーポンデータ入力画面１００に表示されている、店ＩＤ、カテゴリ、店名、および地域は、上述の登録店データ４ａから抽出され表示されている。なお、地域は、クーポンの発行者の営業地域を示し、本実施の形態においては、住所に含まれる市名が抽出される。これら情報は、この画面からは入力および修正をすることはできない。また、クーポンＩＤは、Ｗｅｂサーバ１のデータ管理部７により付与されるユニークなＩＤである。クーポンＩＤも入力および修正をすることはできない。
【００４６】
クーポンデータ入力画面１００において、キーワード、タイトル、特典、画像、公開開始日、および公開終了日は、担当者が、入力および修正することができる情報である。なお、公開開始日および公開終了日は、クーポンを公開する期間を決定する情報であり、登録店データ４ａから抽出され表示されている。この期間内であれば、クーポンを公開する期間を変更することができる。
【００４７】
キーワードは、クーポンの内容に特徴的な事項を示すキーワードであり、タイトルはクーポンに付与されるタイトルである。特典は、クーポンを使用することによりユーザが受けることのできる特典の内容である。これら、キーワード、タイトル、および特典は、担当者が決定し入力することができる。また、担当者は「参照」と表示された参照ボタンをクリックすることにより、クーポンに表示される画像ファイルを登録店端末６０に保存された画像ファイルの中から選択し決定することができる。
【００４８】
クーポンデータ入力画面１００において表示されている情報は、「登録」と表示された登録ボタンがクリックされることにより、選択された画像ファイルとともに登録店端末６０から、Ｗｅｂサーバ１へ送信される。送信された情報および画像ファイルは、クーポンデータ記憶部５に記憶される。
【００４９】
図５は、クーポンデータ記憶部５に記憶されているクーポンデータ５ａのデータ構成の一例を示す図である。
【００５０】
クーポンデータ５ａは、上述のように、クーポンの内容を示す情報であり、データ項目として、図４に示すクーポンデータ入力画面１００に表示された項目を有する。また、データ項目として、クーポンの属性情報であるカテゴリ、地域、およびキーワードを含んでいる。
【００５１】
クーポンデータ５ａに登録されている情報は、テンプレート記憶部８に記憶されているテンプレートに配置され、クーポンとして公開される。
【００５２】
各クーポンの内容を示す情報には、上述のように、ユニークなＩＤであるクーポンＩＤが付与される。クーポンＩＤにより一意に識別される情報を以下、「個別クーポンデータ」という。
【００５３】
個別クーポンデータは、データ項目として、店ＩＤを有している。つまり、個別クーポンデータと個別登録店データとは、店ＩＤにより紐付けされている。また、店名、カテゴリ、地域は、店ＩＤにより特定される個別登録店データにおける店名、カテゴリ、地域がそのまま複製される。
【００５４】
公開開始日および公開終了日は、図４に示すクーポンデータ入力画面１００においいて担当者に変更されていない場合、個別登録店データにおける公開開始日および公開終了日と同じ日付を示す。
【００５５】
なお、図示していないが、クーポンに表示される画像の画像ファイルも、クーポンデータ記憶部５に記憶される。
【００５６】
クーポンデータ５ａに登録されている情報は、上述のように、テンプレート記憶部８に記憶されているテンプレートに配置され、クーポンとして公開される。その際、Ｗｅｂサーバ１の組合せ決定部１０により、クーポン内に配置されるバナーが決定され、バナーを含むクーポンとして公開される。このバナーは、管理者によりＷｅｂサーバ１に登録される。
【００５７】
図６は、管理者がバナーを登録するためのバナー登録画面１１０の一例を示す図である。
【００５８】
バナー登録画面１１０は、管理者が、管理端末５０から所定のＩＤおよびパスワードを入力し、認証部３により認証された後に表示される画面である。管理者は、バナー登録画面１１０を介し、バナー広告に関する情報の登録を行う。また、図６に示すバナー登録画面１１０は、バナー広告を出稿する企業である広告主が“○○鉄道”という会社である場合の登録時の表示例である。
【００５９】
バナー登録画面１１０において、登録すべきデータ項目である、広告主、地域、カテゴリ、キーワード、画像、ＵＲＬ、公開開始日および公開終了日は、管理者と広告主との契約時に決定される。
【００６０】
地域は、バナー広告の広告主の営業地域を示す情報であり、カテゴリは、バナー広告により告知したい情報の分野のカテゴリである。キーワードは、バナー広告の内容に特徴的な事項を示すキーワードである。
【００６１】
また、管理者は「参照」と表示された参照ボタンをクリックすることにより、バナー画像のファイルを管理端末５０に保存された画像ファイルの中から選択しＷｅｂサーバ１へアップロードすることができる。アップロードされたバナー画像ファイルは、バナー登録画面１１０内に表示される。図６に示すバナー登録画面１１０においてはバナー３０が表示されている。
【００６２】
ＵＲＬは、バナーがクリックされた際に表示されるＷｅｂページのＵＲＬである。公開開始日および公開終了日は、バナーが公開される期間を決定する情報である。
【００６３】
また、画面右上部には、データ管理部７がバナーに関する情報に付与するユニークなＩＤであるバナーＩＤが表示される。つまり、この“○○鉄道”のバナーに関する情報にはバナーＩＤとして“Ｂ４０１”が付与されている。
【００６４】
また、“トップページ”と表示された横にあるチェックボックス１１１をチェックすることにより、クーポンサイトのトップページへ表示させることができる。
【００６５】
上述のように、バナーはクーポン内に表示されるが、バナー広告の広告主との契約等により、クーポンサイトのトップページにも表示させることができる。
【００６６】
図７は、バナー３０が表示されたクーポンサイトのトップページ２０の一例を示す図である。
【００６７】
図７に示すトップページ２０には、クーポンをはじめ様々な情報ページへのリンクとともに、バナー３０が表示されている。
【００６８】
なお、バナー登録画面１１０において入力され表示されている情報は、「登録」と表示された登録ボタンがクリックされることにより、選択されたバナー画像ファイルとともに管理端末５０から、Ｗｅｂサーバ１へ送信される。送信された情報およびバナー画像ファイルは、バナーデータ記憶部６に記憶される。チェックボックス１１１がチェックされている場合、そのチェックされた情報もＷｅｂサーバ１に送信される。Ｗｅｂサーバ１では表示データ生成部１２がその情報を受け取り、所定の記憶領域に記憶されているトップページ２０のＨＴＭＬをバナー３０が表示されるように書き換える。
【００６９】
図８は、バナーデータ記憶部６に記憶されているバナーデータ６ａのデータ構成の一例を示す図である。
【００７０】
バナーデータ６ａは、上述のように、バナー広告に関する情報であり、データ項目として、図６に示すバナー登録画面１１０に表示された項目を有する。また、データ項目として、バナー広告の属性情報であるカテゴリ、地域、およびキーワードを含んでいる。
【００７１】
バナーデータ６ａは、組合せ決定部１０が、クーポンとそのクーポンに埋め込まれるバナーとの組合せを決定する際に用いられる。
【００７２】
各バナー広告に関する情報には、上述のように、ユニークなＩＤであるバナーＩＤが、データ管理部７により付与される。バナーＩＤにより一意に識別される情報を以下、「個別バナーデータ」という。
【００７３】
なお、図示していないが、管理端末５０から送信されたバナー画像ファイルも、バナーデータ記憶部６に記憶される。また、バナーデータ記憶部６には、広告主の住所などの必要な情報も記憶されており、さらに、図１３を用いて後述する携帯端末向けのクーポンにもバナーを埋め込むか否かについての情報も記憶されている。
【００７４】
上述のように、組合せ決定部１０は、クーポンとそのクーポンに埋め込まれるバナーとの組合せを決定するが、その決定の際、ルールデータ記憶部９に記憶されているルールデータに基づいて決定を行う。このルールデータは、管理者が決定し登録を行う。
【００７５】
図９は、管理者がクーポンとバナーとの組合せにおけるルールを定義するための組合せルール定義画面１２０の一例である。
【００７６】
組合せルール定義画面１２０は、管理者が、管理端末５０から所定のＩＤおよびパスワードを入力し、認証部３により認証された後に表示される画面である。
【００７７】
図９に示すように、組合せルール定義画面１２０には、第１条件および第２条件を設定するためのチェックボックスが並んで表示される。図９に示す例では、第１条件チェックボックス１２１の選択の組合せにより、第１条件は「同一“カテゴリ”を“排除”」となっている。また、第２条件チェックボックス１２２の選択の組合せにより、第２条件は「同一“キーワード”を“選択”」となっている。
【００７８】
また、画面下部のチェックボックスにおいて、「このルールを適用“する”」という選択がなされている。
【００７９】
つまり、図９に示す条件の選択例では、第１条件と第２条件との組合せにより、あるクーポン内に表示させるバナーを決定する際に、そのクーポンと同一のカテゴリのバナーを排除し、そのクーポンと同一のキーワードを有するバナーを選択するというルールが定義される。
【００８０】
定義されたルールに基づき、組合せ決定部１０は１つのクーポン内に表示される１つのバナーを決定する。組合せ決定部１０の動作については図１１を用いて後述する。
【００８１】
また、画面左上部には、データ管理部７がルールデータに付与するユニークなＩＤであるルールＩＤが表示される。組合せルール定義画面１２０では第１条件と第２条件とにより定義されるルールにルールＩＤとして“Ｒ００１”が付与されている。
【００８２】
上述の選択がなされた状態で、“登録”と表示された登録ボタンがクリックされると、選択された情報が、管理端末５０からＷｅｂサーバ１へ送信される。送信された情報は、ルールデータ記憶部９に記憶される。
【００８３】
図１０は、ルールデータ記憶部９に記憶されているルールデータ９ａのデータ構成の一例を示す図である。
【００８４】
ルールデータ９ａは、上述のように、組合せ決定部１０が、クーポンとバナーとの組合せを決定する際に参照される情報である。
【００８５】
各ルールには、上述のように、ユニークなＩＤであるルールＩＤが、データ管理部７により付与される。ルールＩＤにより一意に識別される情報を以下、「個別ルールデータ」という。また、個別ルールデータは、本発明のクーポン提供装置における決定条件の一例である。
【００８６】
図１０に示すルールデータ９ａには、３つのルールが例示されている。ルールＩＤが“Ｒ００１”である個別ルールデータにおいて、適用フラグが“１”となっており、その他の個別ルールデータは、適用フラグは“０”となっている。適用フラグが“１”である個別ルールデータによって示されるルールは、現在有効なルールとして用いられていることを意味する。
【００８７】
つまり、現在、ユーザからの要求に基づき、表示データ生成部１２が生成する表示データによってクーポンに埋め込まれるバナーは、組合せ決定部１０が、ルールＩＤ“Ｒ００１” の個別ルールデータによって示されるルールに基づいて決定したバナーである。適用フラグが“０である” 個別ルールデータは、現在、クーポンとバナーとの組合せの決定に用いられていない個別ルールデータである。
【００８８】
このように、ルールデータ９ａは複数のルールを保持しておくことができる。これにより、管理者は複数のルールを定義することができ、必要に応じ、クーポンとバナーとの組合せの決定に適用するルールを変更することができる。
【００８９】
また、ルールは２つの条件により定義可能である。そのため、例えば、クーポンの提供者である登録店の営業範囲と、バナー広告の広告主である企業の営業範囲とがバッティングせず、かつ、それらの営業内容が関連性を有するようなルールを定義することができる。
【００９０】
図１１は、組合せ決定部１０が１つのクーポンに組合せるべきバナーを決定する際の動作を示すフロー図である。なお、決定の際に参照するルールとして、図１０に示す、ルールＩＤ“Ｒ００１”の個別ルールデータに示されるルールを用いた場合を想定する。つまり、第１条件「同一カテゴリ排除」と、第２条件「同一キーワードで選択」とにより定義されるルールに基づき決定がなされる場合の組合せ決定部１０の動作を説明する。
【００９１】
組合せ決定部１０は、ユーザ端末７０からのクーポン表示要求を、通信部２およびデータ管理部７を介し受け取る。なお、クーポン表示要求には、クーポンを特定するクーポンＩＤが含まれている。
【００９２】
組合せ決定部１０は、表示を要求されたクーポンのカテゴリをクーポンデータ記憶部５に記憶されているクーポンデータ５ａを参照することにより取得する。取得後、そのカテゴリと同一カテゴリに属するバナーを排除する（Ｓ１）。
【００９３】
具体的には、表示を要求されたクーポンのカテゴリと同一のカテゴリ以外のカテゴリに属するバナーのバナーＩＤを、バナーデータ記憶部６に記憶されているバナーデータ６ａの中から抽出する。
【００９４】
バナーＩＤの抽出後、表示を要求されたクーポンの個別クーポンデータからキーワードを取得する。取得したキーワードに含まれる複数の単語のうちの少なくとも１つを個別バナーデータのキーワードとして有するバナーのバナーＩＤを、先に抽出されたバナーＩＤの中から更に抽出する。
【００９５】
同一の単語を有するバナーがある場合（Ｓ２でＹｅｓ）、該当するバナーの中から１つのバナーに絞り込み（Ｓ３）、そのバナーの画像ファイル名とバナーにリンクされるＷｅｂページのＵＲＬとをバナーデータ６ａから抽出し、表示データ生成部１２に送信する。この際、表示を要求されたクーポンの個別クーポンデータもともに送信される。
【００９６】
表示データ生成部１２は、送信されたバナーの画像ファイル名と、ＵＲＬと、個別クーポンデータと、テンプレート記憶部８に記憶されているクーポン表示用のテンプレートとを用い、クーポンを表示するための表示データを生成する。生成された表示データは通信部２を介し、ユーザ端末７０へ送信される（Ｓ５）。
【００９７】
なお、上記の動作において、表示を要求されたクーポンのキーワードに含まれる単語と同一の単語をキーワードとして有するバナーが存在しなかった場合（Ｓ２でＮｏ）、異なるカテゴリのバナー、つまり、第１条件のみを満たしたバナーの１つを選択し（Ｓ４）、表示データ生成部１２にそのバナーの画像ファイル名を送信する。この選択は、例えば、複数のバナーの中からランダムに行われる。
【００９８】
また、上記の動作において、該当するバナーの中から１つのバナーに絞り込む（Ｓ３）際、例えば、クーポンのキーワードと同一の単語を最も多くキーワードとして持つバナーが選択される。
【００９９】
上記動作の結果、バナーが張り込まれたクーポンがユーザ端末７０に表示される。
図１２は、ユーザ端末７０に表示されるクーポン２５の一例を示す図である。
【０１００】
図１２に示すクーポン２５は、クーポンＩＤ“Ｃ０１０２”の個別クーポンデータ（図５参照）から抽出された情報で構成されている。更に、バナーＩＤ“Ｂ４０１”の個別バナーデータ（図８参照）によって特定されるバナー３０を含んでいる。つまり、“○○リゾート”というレジャー施設が発行者であるクーポンであり、“○○鉄道”がバナーの広告主である。
【０１０１】
クーポンＩＤ“Ｃ０１０２”によって特定されるクーポンのカテゴリは“レジャー”であり、バナーＩＤ“Ｂ４０１”によって特定されるバナーのカテゴリは“交通”であり、同一ではない。また、これらクーポンとバナーとはともに、キーワードに“スキー”という単語を有している。つまり、クーポン２５は、ルールＩＤ“Ｒ００１”の個別ルールデータ（図１０参照）に示されるルールに基づき作成されたものである。
【０１０２】
なお、クーポン２５に表示されている有効期限は、クーポンＩＤ“Ｃ０１０２”の個別クーポンデータにおける公開終了日である。また、ユーザは、バナー３０をクリックすることにより、バナー３０にリンクされたＷｅｂページを別ページで開くことができる。
【０１０３】
ユーザは、ユーザ端末７０に接続されたプリンタでクーポン２５を印刷することで、クーポン２５を使用し、クーポン２５に記載された特典を受けることができる。
【０１０４】
また、クーポンは携帯端末に表示させることもできる。
図１３は、携帯端末７１に表示されるクーポン２６の一例を示す図である。
【０１０５】
図１３に示すクーポン２６は、図１２に示すクーポン２５と内容的には同一であり、クーポン２６においても、バナー３０が表示される。
【０１０６】
つまり、パーソナルコンピュータ向けのＷｅｂサイトと、携帯向けのＷｅｂサイトである携帯サイトとを有する広告主のバナーは、携帯端末向けのクーポンであるクーポン２６にも埋め込まれ表示される。
【０１０７】
ユーザはバナー３０をクリックすることにより、バナー３０にリンクされた携帯サイト内のＷｅｂページを開くことができる。
【０１０８】
ユーザは、携帯端末７１でクーポンを表示させ、クーポン２６に示される登録店で提示することにより、特典を受けることができる。なお、携帯電話などの携帯端末は、表示画面をそのまま保存する機能を有している。そのため、ユーザは、予め保存しておいたクーポンの表示画面を登録店で提示することが一般的に行われている。
【０１０９】
なお、クーポン２５、クーポン２６ともに、クーポンサイトのトップページやクーポンサイト内にある登録店のページにあるリンクをクリックすることにより表示させることができる。
【０１１０】
なお、クーポン２５およびクーポン２６が表示される画面は、上述のように、表示データ生成部１２の動作により生成される。テンプレート記憶部８には、パーソナルコンピュータなどのユーザ端末７０向けのクーポン用テンプレートと、携帯電話などの携帯端末７１向けのクーポン用テンプレートとを有している。
【０１１１】
テンプレートは、ＨＴＭＬで記述されており、店名などの各情報を表示する部分には、各情報に対応する文字列が入力されている。表示データ生成部１２は、テンプレートを読み込み、各情報に対応する文字列を、店名などの各情報で置換する。また、テンプレートのバナーを表示する部分に該当する文字列を組合せ決定部１０から受け取ったバナーの画像ファイル名で置換する。
【０１１２】
例えば、テンプレートであるＨＴＭＬファイルには、“＃＃店名＃＃”という文字列が記述された部分があり、この文字列が、表示データ生成部１２よって、個別クーポンデータに含まれる店名に置換される。また、“＃＃バナー画像＃＃” という文字列が個別バナーデータに含まれる画像のファイル名に置換される。
【０１１３】
図１２および図１３に示すように、クーポンはバナーが貼られた状態で表示され、ユーザはクーポンを印刷する、または、クーポンが表示された画面を携帯端末に保存する。つまり、既存のＷｅｂページ上のバナー広告とは異なり、ユーザの手元に残ることになる。
【０１１４】
従って、Ｗｅｂサーバ１は、バナー広告の広告主に対し、宣伝広告効果の高い広告手法を提供することができる。
【０１１５】
また、クーポンとバナーとの組合せは、管理者により定義されたルールに基づいて組合せ決定部１０によって決定される。このルールは２つの条件により構成される。
【０１１６】
そのため、上述のように、例えば、クーポンの提供者である登録店の営業範囲と、バナー広告の広告主である企業の営業範囲とがバッティングせず、かつ、それらの営業内容が関連性を有するようなルールを定義することができる。
【０１１７】
これにより、図１２に示すクーポン２５のように、レジャー施設のクーポンに、そのレジャー施設に行くための交通手段を宣伝広告するためのバナーを表示させることができる。
【０１１８】
このことは、バナー広告の広告主とって、バナーの有する宣伝広告効果を向上させる上で重要なことである。また、クーポンを提供する登録店からすると、少なくとも自身のクーポンの有用性を阻害する情報ではないバナーが張られるだけで、無料でクーポンを公開することができる。
【０１１９】
クーポンを利用するユーザからすると、クーポンの内容に関連性のあるバナーは有用である可能性が高い。例えば、図１２に示すクーポン２５の場合、“○○リゾート”に行くための電車に関する情報をバナーから、または、バナーのリンク先のＷｅｂページから得ることができる。
【０１２０】
また、上述のように、管理者はルールを複数定義することができ、複数のルールはルールデータ記憶部９に記憶される。管理者は記憶された複数の中からルールを選択し、クーポンとバナーの組合せの決定に適用することができる。
【０１２１】
ここで、Ｗｅｂサーバ１は、管理者が選択する際に参照すべき情報を管理者に提供することができる。
【０１２２】
図１４は、履歴データ記憶部１１に記憶されている履歴データ１１ａおよび集計データ１１ｂのデータ構成例を示す図である。
【０１２３】
履歴データ１１ａは、ユーザによりクリックされたバナーの履歴情報である。履歴データ１１ａは図１４に示すように、データ項目として、履歴ＩＤ、クーポンＩＤ、バナーＩＤ、ルールＩＤ、およびクリック日時を有する。履歴ＩＤは、データ管理部７によって付与されたユニークなＩＤである。履歴ＩＤにより一意に識別される情報を以下、「個別履歴データ」という。
【０１２４】
クーポンＩＤは、バナーＩＤによって特定されるバナーが貼られていたクーポンのクーポンＩＤである。ルールＩＤは、そのバナーがクリックされたときに適用されていたルールのルールＩＤである。クリック日時は、そのバナーがクリックされた日時を示す情報である。
【０１２５】
また、履歴データ記憶部１１には、図示していないが、クーポンがユーザの要求に応じて表示された履歴も記憶されている。そのクーポンの表示履歴と、履歴データ１１ａとにより、ルールＩＤごとにバナーがクリックされた履歴を集計したのが、集計データ１１ｂである。
【０１２６】
集計データ１１ｂは、データ項目として、ルールＩＤとクリック数とクリック率とを有する。クリック率とは、バナーがクリックされた回数を、バナーが表示された回数で割ったものを％表示したものである。なお、これらの集計は、データ管理部７が、毎日、所定の時間に行う。
【０１２７】
この集計データ１１ｂにより、管理者は、どのルールを適用した場合に、クリック数が多いか、または、クリック率が高いかを知ることができる。
【０１２８】
つまり、管理者は、一端決定し適用させたルールを、集計データ１１ｂを見ることにより、最適なものに変更することができる。また、例えば、複数のクーポンおよびバナー広告のカテゴリや、それらが関連する地域等の分散度、または集積度などと、過去に適用したルールにおけるクリック率から最適なルールを変更することができる。
【０１２９】
このように、最適なルールを適用することで、バナーのクリック率またはクリック数を向上させることが可能となる。結果として、バナー広告の出稿量を増やすことが可能となる。
【０１３０】
上述のように、本発明の実施の形態のＷｅｂサーバ１は、クーポンの提供者である登録店、バナー広告の広告主、Ｗｅｂサーバ１で公開されるクーポンサイトのユーザ、およびクーポンサイトを管理する管理者の４者にとって利便性の高いサイトを公開することができる。
【０１３１】
このクーポンサイトは、バナー広告の広告主からの広告料の収入によって運営することができる。これにより、登録店は、クーポン等の情報を無料で公開することができる。またユーザも無料でクーポン等を取得することができる。
【０１３２】
本発明の実施の形態のＷｅｂサーバ１を利用し、従来にない新たなビジネスモデルを構築することも可能である。
【０１３３】
図１５は、従来のクーポンサイトにおけるビジネスモデルの概要を示す図である。
図１５に示すように、従来のビジネスモデルでは、クーポンサイトを運営する運営会社は、クーポンをクーポンサイトに提供する登録店から広告料として料金を徴収する。クーポンの更新は、運営会社が行う。
【０１３４】
登録店に対しては、運営会社の営業マンが各種サポートを行なう。また、アクセス数を増加させるために、ユーザに対して、クーポンサイトの宣伝・告知を行う。
【０１３５】
つまり、従来のビジネスモデルでは、登録店はクーポンを公開するために運営会社に料金を支払う必要がある。そのため、クーポンサイトにおいて、ユーザにとって有益なクーポンの数を増やすためには、運営会社の登録店を増やすための営業力が必要である。
【０１３６】
従って、運営会社は、運営店を増やすための営業マンを雇用し、その営業マンは、登録店に対するサポートを行う必要がある。また、運営会社は、クーポンの更新作業も行う必要がある。
【０１３７】
このように、従来のビジネスモデルにおいては、ユーザにとって有益なクーポンの数を増やすことが容易ではなく、運営会社の負担も大きい。
【０１３８】
しかしながら、本発明の実施の形態のＷｅｂサーバ１を用いてクーポンサイトを運営することで、効率的にクーポンサイトを成長させていくことができる。
【０１３９】
図１６は、本発明の実施の形態におけるＷｅｂサーバ１を用いてクーポンサイトを運営する場合のビジネスモデルの概要を示す図である。また、図１６は、北海道へ来る観光客向けの地域クーポンサイトにおけるビジネスモデルの例を示している。
【０１４０】
運営会社は、クーポンを公開する登録店を集め、クーポンサイトにおいてそれら登録店のクーポンを公開する。登録店はクーポンの掲載料を負担する必要はないため、ユーザにとって有益なクーポンの数を増やし易くなる。また、自店のクーポンの更新を行うことができる。
【０１４１】
運営会社は、クーポン内に表示するバナー広告の広告主を募集する。例えば、インターネット上で商品の販売を行うネットショップと、アフィリエイト広告の契約を結ぶ。
【０１４２】
つまり、ネットショップへのリンクが張られたネットショップのバナーを経由し、ユーザが商品を購入すると、ネットショップからクーポンサイトの運営会社へ規定の報酬が支払われる旨の契約を結ぶ。また、運営会社は、観光客に対し、地域クーポンサイトの宣伝・告知を行う。
【０１４３】
観光客は地域クーポンサイトを無料で利用することができ、クーポンを取得することができる。また、観光客は、携帯電話などの携帯端末でアクセスすることが多いと考えられ、多くの観光客はクーポンが表示された画面を携帯端末に保存することになる。
【０１４４】
これにより、例えば、観光客が旅行から帰った後においても、そのクーポンは携帯端末に残されている可能性が高い。つまり、クーポンに付随してバナーも残されており、そのバナーから、ネットショップなどの広告主のサイトにアクセスすることができる。
【０１４５】
また、運営会社は、コンピュータネットワークを活用して自宅や小さな事務所で事業を行っているＳＯＨＯ（Small Office/Home Office）スタッフと契約を行い、登録店への各種サポートを行わせる。その際、作業量に応じたインセンティブや技術支援等の契約を行う。
【０１４６】
近年では、上述のようなＳＯＨＯと呼ばれる形態で仕事をしている人が増加しており、また、運営会社も自社で営業マンを雇用する必要がないため、互いにメリットがある契約となる。
【０１４７】
上述のように、Ｗｅｂサーバ１は、クーポンにバナー広告を掲載し、バナー広告の広告料収入によってクーポンサイトを運営することができる。これにより、登録店はクーポンの掲載料を負担することなく、クーポンを公開することができる。
【０１４８】
登録店にとってはリスクを負うことなくクーポンが公開できるため、登録店を増やすことは容易である。なお、クーポン内に他の企業等のバナーが表示されることになるが、同じカテゴリに属するバナーは排除するなどのルールに基づいて表示されるバナーが決定される。そのため、登録店にとってデメリットとなるようなクーポンとバナーとの組合せは排除される。また、組合せのルールは変更可能であり、登録店、広告主の双方にとってメリットのある組合せとなるルールを地域的な事情等に合わせて管理者が決定することができる。
【０１４９】
また、従来のＷｅｂページに貼られるバナーとは異なり、クーポンに貼られるバナーは、ユーザの手元に残ることになる。クーポンは紙に印刷され、または、携帯端末にクーポンの表示画面が保存されるからである。
【０１５０】
バナー広告がユーザの手元に残るということは、従来のバナー広告に比べ、宣伝広告効果が高いということである。これはバナー広告の広告主にとってメリットは大きく、運営会社からするとクーポンサイトへの広告の出稿を促す好材料である。
【０１５１】
登録店は無料でクーポンを公開でき、広告主は宣伝広告効果の高い媒体に広告を出稿できる。これにより、登録店、広告主ともに増加させることができ、結果としてユーザにとって有益なクーポンの数を増加させることができる。
【０１５２】
有用なクーポンが増えると、当然にクーポンサイトにアクセスするユーザも増え、クーポンの利用者が増える。クーポンの利用者が増加することにより、クーポンサイトの運営会社は、登録店および広告主を集め易くなる。
【０１５３】
このように、本発明の実施の形態のＷｅｂサーバ１を利用することで、クーポンサイトを効率的に成長させることができる。
【０１５４】
なお、上述の実施の形態において、登録店データ４ａ、クーポンデータ５ａ、バナーデータ６ａ、ルールデータ９ａ、履歴データ１１ａ、および集計データ１１ｂの各データにおいて、データ構成は、図示および説明したデータ構成でなくてもよい。
【０１５５】
例えば、登録店データ４ａにおいて、店情報を詳細なデータ項目に分けてもよい。また、例えば、クーポンデータ５ａにおいて、新たに有効期限のデータ項目を追加し、公開終了日と有効期限とを別に扱ってもよい。また、例えば、登録店データ４ａとクーポンデータ５ａとを同一のデータファイルとしてもよい。つまり、各データは、必要に応じたデータ構成を採用すればよい。
【０１５６】
また、同様にクーポンデータ入力画面１００、バナー登録画面１１０、および組合せルール定義画面１２０の各画面表示例も、図示および説明した構成でなくてもよい。例えば、データ構成の変更に応じ、適宜変更してもよい。
【０１５７】
また、同様に、クーポンサイトのトップページ２０、クーポン２５およびクーポン２６の表示画面も、図示および説明した構成でなくてもよく、ユーザや登録店の要望に応じて構成を変更してもよい。
【０１５８】
また、クーポンとバナーとの組合せの決定に用いられるルールは、第１条件および第２条件の２つの条件により定義されるとした。しかしながら、１つの条件で定義されてもよく、また、３つ以上の条件により定義されてもよい。
【０１５９】
また、図９に示す組合せルール定義画面１２０における第１条件と第２条件との組み合わせは、ルール定義のための条件の組合せの一例であり、他の条件の組合せによりルールが定義されてもよい。例えば、あるクーポン内に表示させるバナーを決定する際に、そのクーポンと同一のカテゴリのバナーを選択し、そのクーポンと同一の地域に関するバナーを排除するというルールが定義されてもよい。
【０１６０】
こうすることで、例えば、管理者が、クーポンサイトの規模や地域的事情などに応じ、ルールを定義するために最適な条件の数、またはルール自体を決定することができる。
【０１６１】
また、全てのクーポンとバナーとの組合せの決定に同一のルールを適用しなくてもよい。例えば、カテゴリが「食べ処」であるクーポンについては、第１条件を「同一地域を排除」、第２条件を「同一カテゴリを選択」としたルールを適用し、カテゴリが「宿泊」であるクーポンについては、第１条件を「同一カテゴリを排除」、第２条件を「同一地域を選択」としたルールを適用してもよい。
【０１６２】
この場合、組合せ決定部１０が、クーポンのカテゴリを判別し、カテゴリごとに異なるルールデータをルールデータ記憶部９から読み出せばよい。同様に、カテゴリ以外の属性情報、例えば、クーポンの発行者の営業地域ごとに異なるルールを適用してもよい。
【０１６３】
こうすることで、クーポンのカテゴリなどの属性情報に応じて、より最適なバナーを選択し決定することができる。
【０１６４】
また、クーポンとバナーとの組合せの決定に適用されるルールは、管理者が変更を行うとした。しかしながら、自動的に変更されてもよく、例えば、バナークリックの履歴に応じて、データ管理部７が、組合せ決定部１０に、クリック数またはクリック率を向上させるようなルールの変更を行わせてもよい。
【０１６５】
例えば、クーポンサイト開始時において、図１０に示すルールＩＤ“Ｒ００１”から“Ｒ００３”に対応する３つのルールのそれぞれを適用する試行期間を設け、試行期間の経過後、最もクリック率の高いルールをその後に適用してもよい。また、例えば、クーポンのカテゴリなどの属性情報別に、クリック率を集計し、その属性情報ごとにその後に適用するルールを決定してもよい。
【０１６６】
また、上述のように、組合せ決定部１０が、クーポンとバナーとの組合せの決定に適用するルールを変更する場合、変更後にクリック率が低下した際に、再度、データ管理部７が組合せ決定部１０にルールの変更をさせてもよい。
【０１６７】
また、ルール自体の定義も管理者ではなく、例えば組合せ決定部１０が行ってもよい。例えば、図９の組合せルール定義画面１２０に示すように、ルールの定義の基礎となる第１条件を、“カテゴリ”、“地域”、“キーワード”の“排除”または“選択”という組合せで設定する場合、６通りの組合せが存在する。この６通りの組合せのそれぞれに、第２条件として、第１条件と重複または矛盾しない条件の組合せが４通りずつ存在する。つまり、全部で２４個のルールが定義可能である。
【０１６８】
この２４個のルールの中で、管理者が不要と考えるルール、例えば、第１条件が「同一カテゴリで選択」であり、第２条件が「同一キーワードで選択」というようなルールを定義しないように組合せ決定部１０に記憶させておく。
【０１６９】
組合せ決定部１０は、残りの条件の組合せにより定義されるルールをそれぞれ適用する試行期間を設け、試行期間経過後、最もクリック率が高かったルールをその後の組み合わせの決定に適用する。この場合においても、上述のように、クーポンのカテゴリなどの属性情報別に、クリック率を集計し、その属性情報ごとにその後に適用するルールを決定してもよい。
【０１７０】
このようにして、組合せ決定部１０などに、クーポンとバナーの組合せの決定に適用するルールの変更を行わせ、また、ルールの定義自体をおこなわせることにより、例えば、管理者が行う作業を減らすことができる。
【０１７１】
また、クーポンとバナーとの組合せの決定に用いられるルールは、クーポンと“同一”のカテゴリ等の属性情報を有するバナーを排除”または“選択”するという条件により定義されるとした。しかしながら、“同一”ではなく“類似”の属性情報を有するバナーを“排除”または“選択”するという条件でルールを定義してもよい。
【０１７２】
類似であるか否かは、例えば、属性情報の地域の類否判断の場合、郵便番号を用いてもよく、２つの地域の郵便番号の上３桁が同一であれば、地域が類似しているとしてもよい。
【０１７３】
このように、条件の設定に“同一”だけでなく、“類似”であるか否かの判断を加えることにより、より詳細にルールを定義することができる。
【０１７４】
また、バナー広告の広告主から徴収する広告料を設定する際、上述のアフィリエイト広告による課金設定や、クリック数に応じた課金設定のような従量制の料金体系でもよく、また、単位期間あたりの定額制の料金体系でもよい。
【０１７５】
また、上記の従量制の料金体系である場合、例えば、履歴データ記憶部１１に記憶されている履歴データ１１ａなどを用い、データ管理部７にクリック数等を集計させてもよい。更に、集計結果に基づき、データ管理部７に、広告主ごとの請求データを生成させ、広告主宛に電子メールで送信させてもよい。また、例えば、データ管理部７が生成した請求データを広告主が指定する金融機関に所定の形式でインターネット経由で送信し、その金融機関から広告料を受け取る仕組みであってもよい。こうすることで、例えば、広告料の徴収に掛かる人手を削減することができる。
【０１７６】
なお、上述の請求データを生成し送信する場合において、データ管理部７が、本発明のクーポン提供装置における請求額算出手段が有する請求額を算出する機能を発揮し、通信部２が、本発明のクーポン提供装置における請求額送信手段が有する請求額を送信する機能を発揮する。
【０１７７】
また、クーポンの発行者に、クーポンの公開に伴う料金を負担させないだけでなく、クーポンサイトが得る広告収入を分配してもよい。
【０１７８】
例えば、履歴データ１１ａの個別履歴データを、クーポンＩＤごとに集計する。これにより、クーポンごとに、そのクーポンに埋め込まれたバナーのクリック数を集計することができる。
【０１７９】
この集計されたクーポンごとのバナークリック数に基づき、例えば、バナー広告の広告主から得た広告料収入の中から、そのバナークリック数に比例する金額をクーポンの発行者に分配してもよい。
【０１８０】
この場合、バナークリック数の集計やクーポン発行者への分配金額の決定は、データ管理部７が行えばよい。また、データ管理部７が、発行者ごとに、発行者の指定する金融機関に入金すべき分配金額を示すデータを生成し、通信部２が、クーポンサイトの管理者が指定する金融機関へそのデータを送信してもよい。
【０１８１】
このように、Ｗｅｂサーバ１が、クーポンの発行者に広告収入を分配する機能を有することにより、クーポンの発行者に多大な利点を与えることができる。つまり、クーポンの発行者は、無料でクーポンを公開できるだけでなく、クーポンの公開に伴う収入も得ることができる。
【０１８２】
これにより、クーポンサイトは、ユーザにとって有用なクーポンをより多く集めることが可能であり、ユーザからのアクセス数を増加させることができる。このように、クーポンサイトをより成長させるための好循環を生み出すことができる。
【０１８３】
また、クーポンに埋め込まれるバナーは、画像でなくてもよく、テキストデータをクーポンの中に表示させてもよい。また、アニメーション等の動画でもよい。
【０１８４】
また、表示データ生成部１２が、テンプレートを用いてクーポンの表示データを生成する場合、テンプレートであるＨＴＭＬファイル内の所定の文字列を必要な情報で置換するとした。しかしながら、表示データ生成部１２が表示データを生成する方法は、上記方法に限定されるものではない。
【０１８５】
上記のように動的に表示データを生成する場合、テンプレートにおいて、特定の文字列により示される位置に必要な情報を挿入してもよい。例えば、テンプレートであるＨＴＭＬファイルにおいて、店名を表示する部分に“＜！――店名ここから――＞＜！――店名ここまで――＞”というコメントタグを記述しておく。表示データ生成部１２は、個別登録店データから“○○リゾート”という店名を抽出し、“＜！――店名ここから――＞○○リゾート＜！――店名ここまで――＞”のようにコメントタグの間に挿入すればよい。
【０１８６】
つまり、必要な情報が表示されるように、テンプレートにそれら情報を埋め込めればよい。
【０１８７】
また、ユーザの要求時に表示データであるＨＴＭＬを動的に生成するのではなく、予め必要なＨＴＭＬファイルを生成しておいてもよい。例えば、クーポンデータ５ａに新たに個別クーポンデータが登録された場合、また、既存の個別クーポンデータが修正された場合に、クーポン用のテンプレートを読み出し、必要な情報を埋め込んだＨＴＭＬファイルを生成し、テンプレート記憶部８等の記憶装置に記憶させておいてもよい。
【０１８８】
また、履歴データ記憶部１１に記憶されている履歴データを、ルールの変更以外の目的に使用してもよい。例えば、１カ月ごとにバナーごとのクリック数を集計し、もっともクリックされたバナーをクーポンサイトのトップページに表示するなどしてもよい。また、複数のバナーを、クーポンサイトのトップページに表示できる場合、その集計されたクリック数に応じた並び順でバナーを並べて表示させてもよい。同様に、クリック率に基づいて、バナーのトップページへの表示を決定してもよい。
【０１８９】
また、管理者が使用する管理端末５０は、インターネットを介しＷｅｂサーバ１に接続されているとしたが、管理端末５０は、Ｗｅｂサーバ１にＬＡＮ（Local Area Network）経由で接続してもよい。また、管理端末５０を用いず、Ｗｅｂサーバ１に接続された入力装置および表示装置を用いて、Ｗｅｂサーバ１の管理を行ってもよい。つまり、Ｗｅｂサーバ１を管理できる形態であればよい。
【産業上の利用可能性】
【０１９０】
本発明のクーポン提供装置を用いることで、クーポンの発行者である店からは料金を収集することなくクーポンサイトを運営することができる。これにより、電子的なクーポンを複数用意し様々な情報を提供するＷｅｂサイトであるクーポンサイトを公開するための装置として最適である。
【図面の簡単な説明】
【０１９１】
【図１】本発明の実施の形態に係るクーポン提供システムの構成の概要を示す図である。
【図２】クーポン提供システムにおけるＷｅｂサーバの機能的な構成を示す機能ブロック図である。
【図３】登録店データ記憶部に記憶されている登録店データのデータ構成の一例を示す図である。
【図４】公開されるクーポンについての情報を入力するためのクーポンデータ入力画面の一例を示す図である。
【図５】クーポンデータ記憶部に記憶されているクーポンデータのデータ構成の一例を示す図である。
【図６】管理者がバナーを登録するためのバナー登録画面の一例を示す図である。
【図７】バナーが表示されたクーポンサイトのトップページの一例を示す図である。
【図８】バナーデータ記憶部に記憶されているバナーデータのデータ構成の一例を示す図である。
【図９】管理者がクーポンとバナーとの組合せにおけるルールを定義するための組合せルール定義画面の一例を示す図である。
【図１０】ルールデータ記憶部に記憶されているルールデータのデータ構成の一例を示す図である。
【図１１】組合せ決定部が１つのクーポンに組合せるべきバナーを決定する際の動作を示すフロー図である。
【図１２】ユーザ端末に表示されるクーポンの一例を示す図である。
【図１３】携帯端末に表示されるクーポンの一例を示す図である。
【図１４】履歴データ記憶部に記憶されている履歴データおよび集計データのデータ構成例を示す図である。
【図１５】従来のクーポンサイトにおけるビジネスモデルの概要を示す図である。
【図１６】本発明の実施の形態におけるＷｅｂサーバを用いてクーポンサイトを運営する場合のビジネスモデルの概要を示す図である。
【符号の説明】
【０１９２】
１    Ｗｅｂサーバ
２    通信部
３    認証部
４    登録店データ記憶部
５    クーポンデータ記憶部
６    バナーデータ記憶部
７    データ管理部
８    テンプレート記憶部
９    ルールデータ記憶部
１０    組合せ決定部
１１    履歴データ記憶部
１２    表示データ生成部
５０    管理端末
６０    登録店端末
７０    ユーザ端末
７１    携帯端末
【図１】
2006309502.tif 000003
【図２】
2006309502.tif 000004
【図３】
2006309502.tif 000005
【図４】
2006309502.tif 000006
【図５】
2006309502.tif 000007
【図６】
2006309502.tif 000008
【図７】
2006309502.tif 000009
【図８】
2006309502.tif 000010
【図９】
2006309502.tif 000011
【図１０】
2006309502.tif 000012
【図１１】
2006309502.tif 000013
【図１２】
2006309502.tif 000014
【図１３】
2006309502.tif 000015
【図１４】
2006309502.tif 000016
【図１５】
2006309502.tif 000017
【図１６】
2006309502.tif 000018
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
ユーザの端末装置にクーポンを提供するクーポン提供装置であって、
複数のバナー広告と前記バナー広告の属性情報とを対応付けて記憶するバナー情報記憶手段と、
クーポンの内容と前記クーポンの属性情報とを対応付けて記憶するクーポン情報記憶手段と、
前記バナー情報記憶手段に記憶されたバナー広告及び前記クーポン情報記憶手段に記憶されたクーポンの内容を用い、特定の店舗で前記ユーザが受けることのできる特典を表示するクーポンの表示にバナー広告が埋め込まれた表示データを生成する表示データ生成手段と、
前記クーポン情報記憶手段から前記特定の店舗で前記ユーザが受けることのできる特典を表示するクーポンの属性情報を取得し、前記バナー情報記憶手段からバナー広告の属性情報を参照することにより、前記クーポンの属性情報と前記バナー広告の属性情報との類似性に基づき、前記クーポンと組み合わせるバナー広告を決定する決定手段とを備え、
前記表示データ生成手段は、前記クーポンに、前記決定手段により前記クーポンと組み合わせると決定された前記バナー広告が埋め込まれた表示データを生成し、
前記クーポンの属性情報および前記バナー広告の属性情報は、第１項目と第２項目とを含み、
前記決定手段は、前記クーポンの属性情報の前記第１項目の内容と、前記バナー広告の属性情報の前記第１項目の内容とが同一でなく、かつ、前記クーポンの属性情報の前記第２項目の内容と、前記バナー広告の属性情報の前記第２項目の内容とが同一であるバナー広告を前記クーポンと組み合わせると決定する
クーポン提供装置。
【請求項２】
前記第１項目および前記第２項目の組は、（１）前記クーポンの発行者または前記バナー広告の広告主の業種、（２）前記発行者または前記広告主の営業地域、（３）前記クーポンまたは前記バナー広告の内容の特徴を示すキーワード、の３つのうちのいずれか２つの組である
請求項１記載のクーポン提供装置。
【請求項３】
更に、前記第１項目および前記第２項目との組からなる決定条件を複数記憶する決定条件記憶手段と、
前記決定条件記憶手段の中から、バナー広告のクリックの履歴に応じて１つの決定条件を選択する条件選択手段とを備え、
前記決定手段は、前記クーポンの属性情報および前記バナー広告の属性情報の、前記条件選択手段により選択された前記決定条件に示される前記第１項目および前記第２項目のそれぞれの内容により、前記クーポンと組み合わせるバナー広告を決定する
請求項２記載のクーポン提供装置。
【請求項４】
前記第２項目は前記キーワードであり、
前記キーワードは複数の単語を含み、
前記決定手段は、前記クーポンの属性情報の前記第２項目であるキーワードとバナー広告の属性情報の前記第２項目であるキーワードとが同一であるバナー広告がない場合、
前記クーポンの属性情報の前記第２項目であるキーワードと、バナー広告の属性情報の前記第２項目であるキーワードとがともに含む単語の数が最も多いバナー広告を、前記クーポンと組み合わせると決定する
請求項２記載のクーポン提供装置。
【請求項５】
更に、クーポンに埋め込まれたバナー広告ごとのユーザにクリックされた回数であるクリック数と、前記決定手段により前記バナー広告を前記クーポンと組み合わせると決定された際の決定条件を特定する情報とを対応付けて記憶する記憶するクリック履歴記憶手段と、
前記クリック履歴記憶手段の中からクリック数が最も多いバナー広告と対応付けられた決定条件を前記条件選択手段に選択させる条件変更手段と
を備える請求項３記載のクーポン提供装置。
【請求項６】
更に、前記クリック履歴記憶手段に記憶されている前記クリック数を所定の期間ごとに集計する集計手段と、
前記集計手段により集計されたある期間のクリック数が前記期間の前の期間のクリック数を所定の値だけ下回った場合、前記条件変更手段に、前記クリック履歴記憶手段の中からクリック数が最も多いバナー広告と対応付けられた決定条件を前記条件選択手段に選択させる再変更手段と
を備える請求項５記載のクーポン提供装置。
【請求項７】
更に、クーポンに埋め込まれたバナー広告がユーザにクリックされた回数であるクリック数と、前記バナー広告が前記クーポンと組み合わされると決定された際の決定条件を特定する情報とを対応付けて記憶する記憶するクリック履歴記憶手段と、
前記バナー広告がユーザの端末装置に表示された回数である表示回数を記憶する表示履歴記憶手段と、
前記クリック数と前記表示回数とに基づき、バナー広告が表示された回数のうち何回前記バナー広告がクリックされたかを示すクリック率を、クリック履歴記憶手段に記憶されている決定条件を特定する情報ごとに算出する算出手段と、
前記算出手段が算出したクリック率に基づき、クリック率の最も高いクリック率を示す決定条件を前記条件選択手段に選択させる条件変更手段と
を備える請求項３記載のクーポン提供装置。
【請求項８】
更に、前記算出手段により算出された前記クリック率を所定の期間ごとに集計する集計手段と、
前記集計手段により集計されたある期間のクリック率が前記期間の前の期間のクリック率を所定の値だけ下回った場合、前記条件変更手段に、前記算出手段が算出したクリック率に基づき、クリック率の最も高いクリック率を示す決定条件を前記条件選択手段に選択させる再変更手段と
を備える請求項７記載のクーポン提供装置。
【請求項９】
更に、前記クーポンの表示上の構成を決定する情報が記述されたテンプレートを記憶するテンプレート記憶手段を備え、
前記表示データ生成手段は、テンプレート記憶手段に記憶されている前記テンプレートに含まれる所定の文字列である第１文字列を、前記クーポン情報記憶手段に記憶されている前記クーポンの内容に置換し、前記第１文字列とは異なる第２文字列を、前記決定手段により前記クーポンと組み合わせると決定されたバナー広告に置換することで前記クーポンに前記バナー広告が埋め込まれた表示データを生成する
請求項１記載のクーポン提供装置。
【請求項１０】
更に、前記クリック履歴記憶手段に記憶された前記クリック数に基づき、前記バナー広告の広告主に対する請求額を算出する請求額算出手段と、
前記請求額算出手段により算出された請求額を前記広告主または前記広告主が指定する金融機関に送信する請求額送信手段と
を備える請求項５記載のクーポン提供装置。
【請求項１１】
更に、前記クリック履歴記憶手段に記憶された前記クリック数に基づき、前記バナー広告の広告主に対する請求額を算出する請求額算出手段と、
前記請求額算出手段により算出された請求額を前記広告主または前記広告主が指定する金融機関に送信する請求額送信手段と
を備える請求項７記載のクーポン提供装置。
【請求項１２】
クーポン提供装置における、ユーザの端末装置にクーポンを提供するための方法であって、
前記クーポン提供装置は、
複数のバナー広告と前記バナー広告の属性情報とを対応付けて記憶するバナー情報記憶手段と、
クーポンの内容と前記クーポンの属性情報とを対応付けて記憶するクーポン情報記憶手段とを備え、
前記方法は、
前記バナー情報記憶手段に記憶されたバナー広告及び前記クーポン情報記憶手段に記憶されたクーポンの内容を用い、特定の店舗で前記ユーザが受けることのできる特典を表示するクーポンの表示にバナー広告が埋め込まれた表示データを生成する表示データ生成ステップと、
前記クーポン情報記憶手段から前記特定の店舗で前記ユーザが受けることのできる特典を表示するクーポンの属性情報を取得し、前記バナー情報記憶手段からバナー広告の属性情報を参照することにより、前記クーポンの属性情報と前記バナー広告の属性情報との類似性に基づき、前記クーポンと組み合わせるバナー広告を決定する決定ステップと、
前記表示データ生成ステップにおいて生成された前記クーポンにバナー広告が埋め込まれた表示データを前記端末装置に送信する送信ステップとを含み、
前記表示データ生成ステップは、前記クーポンに、前記決定ステップにおいて前記クーポンと組み合わせると決定された前記バナー広告が埋め込まれた表示データを生成するステップであり、
前記クーポンの属性情報および前記バナー広告の属性情報は、第１項目と第２項目とを含み、
前記決定ステップは、前記クーポンの属性情報の前記第１項目の内容と、前記バナー広告の属性情報の前記第１項目の内容とが同一でなく、かつ、前記クーポンの属性情報の前記第２項目の内容と、前記バナー広告の属性情報の前記第２項目の内容とが同一であるバナー広告を前記クーポンと組み合わせると決定するステップである
クーポン提供方法。
【請求項１３】
ユーザの端末装置にクーポンを提供するクーポン提供装置のためのプログラムであって、
前記クーポン提供装置は、
複数のバナー広告と前記バナー広告の属性情報とを対応付けて記憶するバナー情報記憶手段と、
クーポンの内容と前記クーポンの属性情報とを対応付けて記憶するクーポン情報記憶手段とを備え、
前記プログラムは、
前記バナー情報記憶手段に記憶されたバナー広告及び前記クーポン情報記憶手段に記憶されたクーポンの内容を用い、特定の店舗で前記ユーザが受けることのできる特典を表示するクーポンの表示にバナー広告が埋め込まれた表示データを生成する表示データステップと、
前記クーポン情報記憶手段から前記特定の店舗で前記ユーザが受けることのできる特典を表示するクーポンの属性情報を取得し、前記バナー情報記憶手段からバナー広告の属性情報を参照することにより、前記クーポンの属性情報と前記バナー広告の属性情報との類似性に基づき、前記クーポンと組み合わせるバナー広告を決定する決定ステップと、
前記表示データ生成ステップにおいて生成された前記クーポンにバナー広告が埋め込まれた表示データを前記端末装置に送信する送信ステップとをコンピュータに実行させるためのプログラムであって、
前記表示データ生成ステップは、前記クーポンに、前記決定手段により前記クーポンと組み合わせると決定された前記バナー広告が埋め込まれた表示データを生成するステップであり、
前記クーポンの属性情報および前記バナー広告の属性情報は、第１項目と第２項目とを含み、
前記決定ステップは、前記クーポンの属性情報の前記第１項目の内容と、前記バナー広告の属性情報の前記第１項目の内容とが同一でなく、かつ、前記クーポンの属性情報の前記第２項目の内容と、前記バナー広告の属性情報の前記第２項目の内容とが同一であるバナー広告を前記クーポンと組み合わせると決定するステップである
プログラム。
【手続補正２】
【補正対象書類名】明細書
【補正対象項目名】０００９
【補正方法】変更
【補正の内容】
【０００９】
上記目的を達成するために、本発明のクーポン提供装置は、ユーザの端末装置にクーポンを提供するクーポン提供装置であって、複数のバナー広告と前記バナー広告の属性情報とを対応付けて記憶するバナー情報記憶手段と、クーポンの内容と前記クーポンの属性情報とを対応付けて記憶するクーポン情報記憶手段と、前記バナー情報記憶手段に記憶されたバナー広告及び前記クーポン情報記憶手段に記憶されたクーポンの内容を用い、特定の店舗で前記ユーザが受けることのできる特典を表示するクーポンの表示にバナー広告が埋め込まれた表示データを生成する表示データ生成手段と、前記クーポン情報記憶手段から前記特定の店舗で前記ユーザが受けることのできる特典を表示するクーポンの属性情報を取得し、前記バナー情報記憶手段からバナー広告の属性情報を参照することにより、前記クーポンの属性情報と前記バナー広告の属性情報との類似性に基づき、前記クーポンと組み合わせるバナー広告を決定する決定手段とを備え、前記表示データ生成手段は、前記クーポンに、前記決定手段により前記クーポンと組み合わせると決定された前記バナー広告が埋め込まれた表示データを生成し、前記クーポンの属性情報および前記バナー広告の属性情報は、第１項目と第２項目とを含み、前記決定手段は、前記クーポンの属性情報の前記第１項目の内容と、前記バナー広告の属性情報の前記第１項目の内容とが同一でなく、かつ、前記クーポンの属性情報の前記第２項目の内容と、前記バナー広告の属性情報の前記第２項目の内容とが同一であるバナー広告を前記クーポンと組み合わせると決定する。